(57)【要約】【課題】カメラマウント部の規格に捉われずに、所望の交換レンズ鏡筒をカメラ本体に取付けることができるレンズマウントを提供する。【解決手段】このレンズマウント１１０は、カメラ本体２００のマウント部２１０に設けられたカメラ側爪２２１，２２２，２２３，２２４に対して係合させることでレンズマウント１１０をカメラ本体２００のマウント部２１０に対して装着するレンズ側爪１２１，１２２，１２３，１２４と、レンズマウント１１０をカメラ本体２００のマウント部２１０に装着する際に、カメラ側爪２２１，２２２，２２３，２２４が案内されるカメラ側爪案内溝と、を備えている。そして、カメラ側爪２２１，２２２，２２３，２２４の光軸方向の厚みに合わせ、カメラ側爪案内溝の光軸方向の長さを変化させる。【選択図】図１
2015121604.tif 000002
【特許請求の範囲】
【請求項１】
カメラ本体に対して交換レンズ鏡筒の着脱を行うために該交換レンズ鏡筒に設けられるレンズマウントであって、
前記カメラ本体のマウント部に設けられた複数のカメラ側爪の間隙を通して前記カメラ本体のマウント部側へ差し込まれ、光軸周り方向における前記カメラ側爪との相対位置が変化することによって前記カメラ側爪と係合され前記レンズマウントを前記カメラ本体のマウント部に装着するレンズ側爪と、
前記レンズマウントを前記カメラ本体のマウント部に装着する際に、前記カメラ側爪が案内されるカメラ側爪案内溝と、を備え、
前記カメラ側爪の光軸方向の厚みに合わせ、前記カメラ側爪案内溝の光軸方向の長さを変化させることを特徴するレンズマウント。
【請求項２】
前記レンズマウントの周縁部には段部が形成されており、
前記レンズ側爪は前記カメラ本体のマウント部に対向する前記レンズマウントのマウント面に対して着脱可能に構成され、
前記レンズ側爪を前記レンズマウントのマウント面に取付けた際に、前記レンズ側爪と前記段部とによって前記カメラ側爪案内溝が形成され、
前記レンズ側爪と前記レンズマウントのマウント面との間に調整ワッシャーを介在させまたは介在させずに、前記レンズ側爪を前記レンズマウントのマウント面に取り付けることによって、前記カメラ側爪案内溝の光軸方向の長さを変化させることを特徴とする請求項１に記載のレンズマウント。
【請求項３】
前記レンズ側爪は、前記カメラ側爪よりも硬度の低い材質で形成されていることを特徴とする請求項１または２に記載のレンズマウント。
【発明の詳細な説明】
【技術分野】
【０００１】
本発明は、レンズ交換式のカメラ等に対し交換レンズ鏡筒の着脱を行うためレンズマウントに関する。
【背景技術】
【０００２】
映画として通用する質の高い映像の撮影が可能なシネマカメラにおいても、一眼レフカメラと同様に交換レンズ鏡筒が用いられている。レンズ交換式のカメラでは、カメラ本体に対して交換レンズ鏡筒を着脱自在に装着する方式として、主にバヨネットマウント方式が採用されている。バヨネットマウント方式によれば、カメラ本体側のマウント部と交換レンズ鏡筒側のマウント部とを簡単な操作で係合させることにより、カメラ本体に交換レンズ鏡筒を装着することができる。シネマカメラに用いられる交換レンズ鏡筒には、いわゆるＰＬマウントと称されるレンズマウントが採用されている（たとえば、特許文献１を参照。）。
【先行技術文献】
【特許文献】
【０００３】
【特許文献１】特開２０１１−１５０２６３号公報
【発明の概要】
【発明が解決しようとする課題】
【０００４】
図６は、一般的なＰＬマウントの部分構成を示す光軸に沿う断面図である。カメラ本体３００のマウント部３１０には、カメラ側爪３１１が円周方向に等間隔で４か所に形成されたカメラ側爪部材３１２が光軸周りに回転可能に螺着されている。一方、交換レンズ鏡筒（不図示）のレンズマウント４１０の円周方向にも、レンズ側爪４１１が等間隔で４か所に形成されている。そして、レンズ側爪４１１が、カメラ側爪３１１の間隙を通してマウント部３１０へ差し込まれ、光軸周り方向におけるカメラ側爪３１１との相対位置が変化することによって、カメラ側爪３１１と係合され、交換レンズ鏡筒がカメラ本体３００に取付けられる。このようにすることで、交換レンズ鏡筒をカメラ本体３００から容易に脱落させないような構造を採用している。
【０００５】
カメラ本体側と交換レンズ鏡筒側のマウント規格が同一であれば、交換レンズ鏡筒をカメラ本体に取付けられないといった不具合は生じない。しかしながら、従来、特にシネマカメラにおいてはマウント規格の決定はカメラメーカー側が主導権を握っている。すなわち、カメラメーカーが異なればもちろん、同一のカメラメーカーであっても機種が異なれば、カメラマウント規格が異なり、シネマカメラに所望の交換レンズ鏡筒を取り付けることができないという問題が頻繁にあった。
【０００６】
たとえば、図６において、カメラ側爪３１１の光軸方向の厚みＬ１が機種ごとに異なるといった問題が発生する。交換レンズ鏡筒をカメラ本体３００に装着する際、カメラ側爪３１１は交換レンズ鏡筒のレンズマウント４１０に形成されている溝４１２に案内されることになる。したがって、溝４１２の光軸方向の長さＬ２がカメラ側爪３１１の厚みＬ１に対して足りない場合には、交換レンズ鏡筒がカメラ本体３００に対して装着することができない。無理に交換レンズ鏡筒を装着しようとすると、レンズマウント４１０やカメラ本体３００が破損してしまうことになる。このように、シネマカメラにおいては、使用可能な交換レンズ鏡筒の種類が限られ、所望の交換レンズ鏡筒を使用できないといった問題があった。
【０００７】
本発明は、上述した従来技術による問題点を解消するため、カメラマウント部の規格に捉われずに、所望の交換レンズ鏡筒をカメラ本体に取付けることができるレンズマウントを提供することを目的とする。また、交換レンズ鏡筒等に予期しない外力が加わった場合でも、カメラ本体側の破損を回避しうるレンズマウントを提供することを目的とする。
【課題を解決するための手段】
【０００８】
上述した課題を解決し、目的を達成するため、本発明にかかるレンズマウントは、カメラ本体に対して交換レンズ鏡筒の着脱を行うために該交換レンズ鏡筒に設けられるレンズマウントであって、前記カメラ本体のマウント部に設けられた複数のカメラ側爪の間隙を通して前記カメラ本体のマウント部側へ差し込まれ、光軸周り方向における前記カメラ側爪との相対位置が変化することによって前記カメラ側爪と係合され前記レンズマウントを前記カメラ本体のマウント部に装着するレンズ側爪と、前記レンズマウントを前記カメラ本体のマウント部に装着する際に、前記カメラ側爪が案内されるカメラ側爪案内溝と、を備え、前記カメラ側爪の光軸方向の厚みに合わせ、前記カメラ側爪案内溝の光軸方向の長さを変化させることを特徴する。
【０００９】
さらに、本発明にかかるレンズマウントは、前記発明において、前記レンズマウントの周縁部には段部が形成されており、前記レンズ側爪は前記カメラ本体のマウント部に対向する前記レンズマウントのマウント面に対して着脱可能に構成され、前記レンズ側爪を前記レンズマウントのマウント面に取付けた際に、前記レンズ側爪と前記段部とによって前記カメラ側爪案内溝が形成され、前記レンズ側爪と前記レンズマウントのマウント面との間に調整ワッシャーを介在させまたは介在させずに、前記レンズ側爪を前記レンズマウントのマウント面に取り付けることによって、前記カメラ側爪案内溝の光軸方向の長さを変化させることを特徴とする。
【００１０】
さらに、本発明にかかるレンズマウントは、前記発明において、前記レンズ側爪が、前記カメラ側爪よりも硬度の低い材質で形成されていることを特徴とする。
【発明の効果】
【００１１】
本発明にかかるレンズマウントは、カメラ本体側のマウント規格に捉われずに、所望の交換レンズ鏡筒をカメラ本体に取付けることができるという効果を奏する。また、交換レンズ鏡筒等に予期しない外力が加わった場合でも、カメラ本体を保護し、カメラ本体側の破損を回避することができるという効果を奏する。
【図面の簡単な説明】
【００１２】
【図１】本発明の実施の形態にかかるレンズマウントとこのレンズマウントが取付けられるカメラ本体の概略構成を示す外観図である。
【図２】本発明の実施の形態にかかるレンズマウントの構成の一例を示す分解斜視図である。
【図３】本発明の実施の形態にかかるレンズマウントが交換レンズ鏡筒に取付けられた状態を示す図である。
【図４】図３に示すＡ−Ａ線に沿って切断し矢印方向に見た断面図である。
【図５】本発明の実施の形態にかかるレンズマウントを介して交換レンズ鏡筒をカメラ本体に装着した状態を示す光軸に沿う断面図である。
【図６】一般的なＰＬマウントの部分構成を示す光軸に沿う断面図である。
【発明を実施するための形態】
【００１３】
以下、添付図面を参照して、本発明にかかるレンズマウントの好適な実施の形態を詳細に説明する。なお、以下の実施の形態により本発明が限定されるものではない。
【００１４】
図１は、本発明の実施の形態にかかるレンズマウントとこのレンズマウントが取付けられるカメラ本体の概略構成を示す外観図である。レンズマウント１１０は、図示しない交換レンズ鏡筒をカメラ本体２００に取付けるための部材である。カメラ本体２００はシネマカメラであり、レンズマウント１１０はＰＬマウントを想定している。
【００１５】
レンズマウント１１０には、カメラ本体２００のマウント部２１０（後述）の形状に合致するように円環状のマウント面１１１がマウント部２１０に相対するように形成されている。マウント面１１１上には円周方向に等間隔でレンズ側爪１２１，１２２，１２３，１２４が取付けられている（詳細は後述）。
【００１６】
カメラ本体２００のマウント部２１０もレンズマウント１１０マウント面１１１の形状に合致するように円環状になっている。マウント部２１０のマウント面１１１に相対する面には、位置決めピン２１１が設けられている。位置決めピン２１１は、レンズマウント１１０のカメラ本体２００に対する光軸周りの位置を決めるためのものである（詳細は後述）。位置決めピン２１１は、少なくとも一つ設けられている。また、マウント部２１０には、円環状のカメラ側爪部材２２０が光軸周りに回転可能に螺着されている。カメラ側爪部材２２０には、円周方向に等間隔でカメラ側爪２２１，２２２，２２３，２２４が設けられている。
【００１７】
本実施形態におけるレンズマウント１１０とカメラ本体２００のマウント部２１０とは、バヨネットマウント方式のマウント構造を構成する。レンズマウント１１０をカメラ本体２００のマウント部２１０に装着するには、レンズ側爪１２１，１２２，１２３，１２４を、それぞれカメラ側爪２２１，２２２，２２３，２２４の間隙（カメラ側爪が配置されていない空間）を通してマウント部２１０側へ差し込む。そして、レンズ側爪１２１に形成された受け孔（後述）をマウント部２１０に設けられている位置決めピン２１１に嵌合させ、レンズマウント１１０とマウント部２１０とを密着させる。こうして、カメラ本体２００のマウント部２１０に対して、レンズマウント１１０の光軸周りの位置決めが行われる。すなわち、レンズマウント１１０のマウント部２１０に対する光軸周り方向への回転が不能になる。
【００１８】
次に、カメラ側爪部材２２０を光軸周りに回転させることで、レンズ側爪１２１，１２２，１２３，１２４とカメラ側爪２２１，２２２，２２３，２２４とが係合され、レンズ側爪１２１，１２２，１２３，１２４がマウント部２１０側へ押圧される。そして、レンズ側爪１２１，１２２，１２３，１２４をマウント部２１０とカメラ側爪２２１，２２２，２２３，２２４との間で挟持させる。このようにして、図示しない交換レンズ鏡筒をカメラ本体２００に装着する。このとき、カメラ側爪２２１，２２２，２２３，２２４は、レンズ側爪１２１，１２２，１２３，１２４の付け根近傍に形成されたカメラ側爪案内溝（詳細は後述）にそれぞれ案内されることになる。なお、本実施の形態では、ロック機構等については周知の技術を用いているため、説明は省略する。
【００１９】
前述のように、シネマカメラに形成されるカメラ側爪の光軸方向の厚みは、機種ごとに異なる場合が多いため、交換レンズ鏡筒をカメラ本体２００に装着しようとしても、カメラ側爪２２１，２２２，２２３，２２４をカメラ側爪案内溝に案内できず、交換レンズ鏡筒をカメラ本体２００に装着できないという不具合がしばしば発生する。そこで、本発明ではかかる不具合を回避するため、以下のようなレンズマウントを構成する。
【００２０】
図２は、本発明の実施の形態にかかるレンズマウントの構成の一例を示す分解斜視図である。図２（ａ）は、本発明の第１実施形態であり、レンズ側爪１２１，１２２，１２３，１２４とマウント面１１１との間に調整ワッシャー１３１，１３２，１３３，１３４を介在させる場合の分解斜視図である。図２（ｂ）は、本発明の第２実施形態であり、レンズ側爪１２１，１２２，１２３，１２４とマウント面１１１との間に調整ワッシャー１３１，１３２，１３３，１３４を介在させない場合の分解斜視図である。いずれも、レンズマウント１１０を交換レンズ鏡筒１００の後端（像側）に取り付ける状態を示している。
【００２１】
また、図３は、本発明の実施の形態にかかるレンズマウントが交換レンズ鏡筒に取付けられた状態を示す図である。図３は、カメラ本体２００側から見た状態を示している。
【００２２】
まず、図２（ａ）に示す本発明の第１実施形態のレンズマウント構成を説明する。レンズマウント１１０のマウント面１１１には、レンズ側爪１２１，１２２，１２３，１２４が、調整ワッシャー１３１，１３２，１３３，１３４を介してビスで取付けられる。また、レンズマウント１１０は、交換レンズ鏡筒１００の端部（像側）に、リング部材１４０を介してビスで固定される。
【００２３】
レンズ側爪１２１は、円弧状の平板で形成されている。レンズ側爪１２１の両端部近傍に、ビス穴１２１ａ，１２１ｂが設けられている。また、ビス穴１２１ａ，１２１ｂの間には、受け孔１２１ｃが設けられている。受け孔１２１ｃは、レンズマウント１１０をカメラ本体２００のマウント部２１０に装着する際に、マウント部２１０の位置決めピン２１１に嵌合される。レンズ側爪１２２，１２３，１２４もレンズ側爪１２１と同形状、同等の大きさであり、ビス穴１２２ａ，１２２ｂ，１２３ａ，１２３ｂ，１２４ａ，１２４ｂもビス穴１２１ａ，１２１ｂと同様の位置に設けられている。受け孔１２２ｃ，１２３ｃ，１２４ｃも受け孔１２１ｃと同様の位置に設けられている。なお、受け孔１２２ｃ，１２３ｃ，１２４ｃは、カメラ本体２００のマウント部２１０におけるレンズ側爪１２２，１２３，１２４が当て付けられる位置に位置決めピン２１１に相当する部材が設けられている場合に必要になるものであり、当該位置に位置決めピン２１１に相当する部材がない場合には設ける必要はない。
【００２４】
調整ワッシャー１３１は、レンズ側爪１２１よりも幅が狭い円弧状の平板で形成され、レンズ側爪１２１のビス穴１２１ａ，１２１ｂに対応する位置に、ビス穴１３１ａ，１３１ｂが設けられている。調整ワッシャー１３２，１３３，１３４も調整ワッシャー１３１と同形状、同等の大きさであり、ビス穴１３２ａ，１３２ｂ，１３３ａ，１３３ｂ，１３４ａ，１３４ｂもビス穴１３１ａ，１３１ｂと同様の位置に設けられている。
【００２５】
レンズマウント１１０は、カメラ本体２００のマウント部２１０の形状に対応する円環状をなしており、マウント面１１１の周縁部に段部１１２が形成されている。段部１１２とレンズ側爪１２１，１２２，１２３，１２４とによって、レンズ側爪１２１，１２２，１２３，１２４の付け根近傍にそれぞれカメラ側爪案内溝が形成される。
【００２６】
また、レンズマウント１１０のマウント面１１１には、いずれも対をなすビス穴１１３ａ，１１３ｂと、ビス穴１１４ａ，１１４ｂと、ビス穴１１５ａ，１１５ｂと、ビス穴１１６ａ，１１６ｂが、同一円周上に同間隔になるように設けられている（図１参照）。ビス穴１１３ａ，１１３ｂの間隔は、ビス穴１２１ａ，１２１ｂの間隔と同等である。また、ビス穴１１４ａ，１１４ｂの間隔は、ビス穴１２２ａ，１２２ｂの間隔と同等である。ビス穴１１５ａ，１１５ｂの間隔は、ビス穴１２３ａ，１２３ｂの間隔と同等である。ビス穴１１６ａ，１１６ｂの間隔は、ビス穴１２４ａ，１２４ｂの間隔と同等である。
【００２７】
リング部材１４０は、円環状の平板からなっている。リング部材１４０には、いずれも対をなすビス穴１４１ａ，１４１ｂと、ビス穴１４２ａ，１４２ｂと、ビス穴１４３ａ，１４３ｂと、ビス穴１４４ａ，１４４ｂが、同一円周上に同間隔になるように設けられている。なお、ビス穴１４３ａ，１４３ｂは、図中、レンズマウント１１０に隠れた位置にある。
【００２８】
ビス穴１４１ａ，１４１ｂの間隔は、ビス穴１１３ａ，１１３ｂの間隔と同等である。また、ビス穴１４２ａ，１４３ｂの間隔は、ビス穴１１４ａ，１１４ｂの間隔と同等である。ビス穴１４３ａ，１４３ｂの間隔は、ビス穴１１５ａ，１１５ｂの間隔と同等である。ビス穴１４４ａ，１４４ｂの間隔は、ビス穴１１６ａ，１１６ｂの間隔と同等である。ビス穴１４１ａ，１４１ｂ，１４２ａ，１４２ｂ，１４３ａ，１４３ｂ，１４４ａ，１４４ｂによって形成される円は、マウント面１１１のビス穴１１３ａ，１１３ｂ，１１４ａ，１１４ｂ，１１５ａ，１１５ｂ，１１６ａ，１１６ｂによって形成される円と略一致する。
【００２９】
また、交換レンズ鏡筒１００の端部（像側）にも、いずれも対をなす取付穴１０１ａ，１０１ｂと、取付穴１０２ａ，１０２ｂと、取付穴１０３ａ，１０３ｂと、取付穴１０４ａ，１０４ｂが、同一円周上に同間隔になるように設けられている。
【００３０】
取付穴１０１ａ，１０１ｂの間隔は、ビス穴１４１ａ，１４１ｂの間隔と同等である。また、取付穴１０２ａ，１０２ｂの間隔は、ビス穴１４２ａ，１４２ｂの間隔と同等である。取付穴１０３ａ，１０３ｂの間隔は、ビス穴１４３ａ，１４３ｂの間隔と同等である。取付穴１０４ａ，１０４ｂの間隔は、ビス穴１４４ａ，１４４ｂの間隔と同等である。取付穴１０１ａ，１０１ｂ，１０２ａ，１０２ｂ，１０３ａ，１０３ｂ，１０４ａ，１０４ｂによって形成される円は、ビス穴１４１ａ，１４１ｂ，１４２ａ，１４２ｂ，１４３ａ，１４３ｂ，１４４ａ，１４４ｂによって形成される円と略一致する。
【００３１】
ビス１５１ａ，１５１ｂを、それぞれ順に、レンズ側爪１２１のビス穴１２１ａ，１２１ｂ、調整ワッシャー１３１のビス穴１３１ａ，１３１ｂ、レンズマウント１１０のビス穴１１３ａ，１１３ｂ、リング部材１４０のビス穴１４１ａ，１４１ｂに対して挿通させ、交換レンズ鏡筒１００の取付穴１０１ａ，１０１ｂに嵌め込む。
【００３２】
また、同様に、ビス１５２ａ，１５２ｂを、それぞれ順に、レンズ側爪１２２のビス穴１２２ａ，１２２ｂ、調整ワッシャー１３２のビス穴１３２ａ，１３２ｂ、レンズマウント１１０のビス穴１１４ａ，１１４ｂ、リング部材１４０のビス穴１４２ａ，１４２ｂに対して挿通させ、交換レンズ鏡筒１００の取付穴１０２ａ，１０２ｂに嵌め込む。
【００３３】
ビス１５３ａ，１５３ｂを、それぞれ順に、レンズ側爪１２３のビス穴１２３ａ，１２３ｂ、調整ワッシャー１３３のビス穴１３３ａ，１３３ｂ、レンズマウント１１０のビス穴１１５ａ，１１５ｂ、リング部材１４０のビス穴１４３ａ，１４３ｂに対して挿通させ、交換レンズ鏡筒１００の取付穴１０３ａ，１０３ｂに嵌め込む。
【００３４】
ビス１５４ａ，１５４ｂを、それぞれ順に、レンズ側爪１２４のビス穴１２４ａ，１２４ｂ、調整ワッシャー１３４のビス穴１３４ａ，１３４ｂ、レンズマウント１１０のビス穴１１６ａ，１１６ｂ、リング部材１４０のビス穴１４４ａ，１４４ｂに対して挿通させ、交換レンズ鏡筒１００の取付穴１０４ａ，１０４ｂに嵌め込む。
【００３５】
以上のようにすることで、図３に示すように、レンズマウント１１０が交換レンズ鏡筒１００の後端に取付けられる。このとき、レンズ側爪１２１，１２２，１２３，１２４は、それぞれレンズマウント１１０のマウント面１１１の同一円周上に同間隔で位置するようになる。
【００３６】
この形態では、レンズ側爪１２１，１２２，１２３，１２４とマウント面１１１との間に、調整ワッシャー１３１，１３２，１３３，１３４を介在させている。したがって、調整ワッシャー１３１，１３２，１３３，１３４の厚み（光軸方向）の分だけ、レンズ側爪１２１，１２２，１２３，１２４とマウント面１１１との間隔が広がり、カメラ側爪案内溝の光軸方向の長さを長くすることができる。
【００３７】
次に、図２（ｂ）に示す本発明の第２実施形態のレンズマウント構成を説明する。この形態は、レンズ側爪１２１，１２２，１２３，１２４とマウント面１１１との間に、調整ワッシャー１３１，１３２，１３３，１３４を介在させない状態である。この形態のレンズマウント１１０の交換レンズ鏡筒１００に対する取付けは、調整ワッシャー１３１，１３２，１３３，１３４が省略されている点を除き、図２（ａ）に基づく説明と同様であるため、詳細は省略する。調整ワッシャー１３１，１３２，１３３，１３４を介在させていない分、図２（ａ）に示した状態よりもレンズ側爪１２１，１２２，１２３，１２４とマウント面１１１との間隔が狭まり、カメラ側爪案内溝の光軸方向の長さを短くすることができる。なお、カメラ側から見た状態も図３と同様である。
【００３８】
以上説明したように、マウント面１１１に対するレンズ側爪１２１，１２２，１２３，１２４の着脱は、ビス１５１ａ，１５１ｂ，１５２ａ，１５２ｂ，１５３ａ，１５３ｂ，１５４ａ，１５４ｂの着け外しによってできるため、ユーザー自ら容易に実現可能である。また、カメラ側爪案内溝の光軸方向の長さの調節は、マウント面１１１に対してレンズ側爪１２１，１２２，１２３，１２４を取付ける際に間に調整ワッシャー１３１，１３２，１３３，１３４を介在させるか否かで可能になる。したがって、ユーザー自らが、容易にカメラ側爪案内溝の光軸方向の長さを調節することが可能である。
【００３９】
図４は、図３に示すＡ−Ａ線に沿って切断し矢印方向に見た断面図である。図４（ａ）は図２（ａ）に示した状態に対応する図であり、図４（ｂ）は図２（ｂ）に示した状態に対応する図である。いずれの図もレンズ側爪１２１，１２３を含む面で切断した断面図を示している。
【００４０】
図４（ａ），（ｂ）に示すように、調整ワッシャー１３１，１３３を介在させるか否かによって、段部１１２とレンズ側爪１２１，１２３とによって形成されるカメラ側爪案内溝１６１，１６３の光軸方向の長さを容易に変えることができることが分かる。
【００４１】
前述のように、シネマカメラでは、カメラ側爪の厚み（光軸方向）がカメラメーカーが異なれば当然、同一のカメラメーカーであっても機種ごとに異なることが頻繁に発生し、所望の交換レンズ鏡筒を装着できないという問題があった。しかしながら、本発明の実施の形態にかかるレンズマウントを用いれば、交換レンズ鏡筒をシネマカメラに装着する際にカメラ側爪が案内されるカメラ側爪案内溝の光軸方向の長さをカメラ側爪の厚みに合うようにユーザー自らが変えることができる。この結果、どのようなシネマカメラであっても所望の交換レンズ鏡筒を装着することができる。
【００４２】
なお、ここでは、介在させる調整ワッシャーは１つのレンズ側爪に対して１枚である場合を示したが、１枚の調整ワッシャーを介在させただけでは所望の長さのカメラ側爪案内溝が形成できないときは、１つのレンズ側爪に対して複数の調整ワッシャーを介在させることも可能である。
【００４３】
ところで、以上示したように、レンズ側爪１２１，１２２，１２３，１２４とマウント面１１１との間に、調整ワッシャー１３１，１３２，１３３，１３４を介在させる場合、交換レンズ鏡筒１００のレンズ最終面と撮像素子との間の距離が延び、像の結像位置が撮像素子からずれてしまうおそれがある。そこで、本実施の形態では、以下の手法により結像位置のずれを補正する。
【００４４】
図５は、本発明の実施の形態にかかるレンズマウントを介して交換レンズ鏡筒をカメラ本体に装着した状態を示す光軸に沿う断面図である。図５は、レンズ側爪１２１，１２３を含む面の断面図である。
【００４５】
図５に示すように、マウント面１１１との間に、調整ワッシャー１３１，１３３を介在させると、カメラ側爪案内溝１６１，１６３の光軸方向の長さが延びる。このようにしたことによって、交換レンズ鏡筒１００のレンズ最終面と撮像素子との間の距離が延びて、像の結像位置が撮像素子からずれてしまった場合には、一般的なＰＬマウントに備えられているレンズ位置調整ワッシャー（不図示）を用いる等の周知の手法によって、レンズ位置を調整する。これにより、像の結像位置と撮像素子とのずれは補正される。
【００４６】
以上のように、本発明にかかるレンズマウントは、レンズマウントのマウント面とレンズ側爪との間に調整ワッシャーを介在させるか否かによって、ユーザー自らが容易にカメラ側爪案内溝の光軸方向の長さを変化させることができる。このため、交換レンズ鏡筒をシネマカメラに装着する際に障害となりうるカメラ側爪案内溝の光軸方向の長さをカメラ側爪の厚みに対応できるように調整することが可能になる。これにより、どのようなシネマカメラであっても所望の交換レンズ鏡筒を装着することができようになる。
【００４７】
また、本発明にかかるレンズマウントにおいて、レンズ側爪をカメラ側爪よりも硬度の低い素材で形成するとよい。たとえば、カメラ側爪がステンレス（ＳＵＳ材）またはマグネシウム材で形成されている場合には、レンズ側爪を真鍮材またはプラスチック材で形成するとよい。カメラ側爪が真鍮材で形成されている場合には、レンズ側爪をプラスチック材で形成するとよい。
【００４８】
このようにすることによって、レンズ側爪をカメラ本体の保護部材とすることができる。すなわち、レンズ側爪をカメラ側爪の素材よりも柔らかい素材で形成すれば、交換レンズ鏡筒等に何等かの外的衝撃や加重等が加わったような場合でも、レンズ側爪が曲がるか破損するだけでその衝撃等に対処することができ、カメラ本体側の部品の破損を回避することができる。前述のように、本発明にかかるレンズマウントにおいて、レンズ側爪は着脱が容易であることから、破損されたレンズ側爪の交換は容易に行える。このため、交換レンズ鏡筒の全交換は不要であることから、修理コストも低く抑えることができる。
【００４９】
なお、本発明にかかるレンズマウントはシネマカメラに用いられるＰＬマウントを想定しているが、ＰＬマウントと同様の課題が他のレンズマウントにもみられる場合には、本発明を当該レンズマウントに適用することも可能である。
【産業上の利用可能性】
【００５０】
以上のように、本発明にかかるレンズマウントは、交換レンズ鏡筒をカメラ本体に装着する際、カメラマウント側の規格に捉われず、所望の交換レンズ鏡筒をカメラ本体に装着することができるため、特に、機種ごとにカメラ側爪の厚みにばらつきがあるシネマカメラに有用である。
【符号の説明】
【００５１】
１００  交換レンズ鏡筒
１０１ａ，１０１ｂ，１０２ａ，１０２ｂ，１０３ａ，１０３ｂ，１０４ａ，１０４ｂ  取付穴
１１０  レンズマウント
１１１  マウント面
１１２  段部
１１３ａ，１１３ｂ，１１４ａ，１１４ｂ，１１５ａ，１１５ｂ，１１６ａ，１１６ｂ，１２１ａ，１２１ｂ，１２２ａ，１２２ｂ，１２３ａ，１２３ｂ，１２４ａ，１２４ｂ，１３１ａ，１３１ｂ，１３２ａ，１３２ｂ，１３３ａ，１３３ｂ，１３４ａ，１３４ｂ，１４１ａ，１４１ｂ，１４２ａ，１４２ｂ，１４３ａ，１４３ｂ，１４４ａ，１４４ｂ  ビス穴
１２１，１２２，１２３，１２４  レンズ側爪
１２１ｃ，１２２ｃ，１２３ｃ，１２４ｃ  受け孔
１３１，１３２，１３３，１３４  調整ワッシャー
１４０  リング部材
１５１ａ，１５１ｂ，１５２ａ，１５２ｂ，１５３ａ，１５３ｂ，１５４ａ，１５４ｂ  ビス
１６１，１６３  カメラ側爪案内溝
２００  カメラ本体
２１０  マウント部
２１１  位置決めピン
２２０  カメラ側爪部材
２２１，２２２，２２３，２２４  カメラ側爪
【図１】
2015121604.tif 000003
【図２】
2015121604.tif 000004
【図３】
2015121604.tif 000005
【図４】
2015121604.tif 000006
【図５】
2015121604.tif 000007
【図６】
2015121604.tif 000008